(57)【要約】【課題】部材の接合や増幅をせずに、小さな施工スペースで構築することができる、既設コンクリート構造物の補強構造を提供する。【解決手段】既設コンクリートに削孔した定着孔に、引張材と、前記引張材の先端に設けた定着部材と、からなるプレストレス付与部材を挿入して構成する、既設コンクリート構造物の補強構造であって、前記定着孔は、前記定着孔の深さ方向に拡径する円錐台状の定着部を有し、前記定着部材は、前記引張材から離れるにつれて拡径する円錐状又は円錐台状であり、前記プレストレス付与部材は、前記定着部材の斜辺と前記定着部の斜辺とが接触した状態で引張されていることを特徴とする、既設コンクリート構造物の補強構造。【選択図】図１
0003176496.tif 000002
【実用新案登録請求の範囲】
【請求項１】
既設コンクリートに削孔した定着孔に、
引張材と、前記引張材の先端に設けた定着部材と、からなるプレストレス付与部材を挿入して構成する、既設コンクリート構造物の補強構造であって、
前記定着孔は、前記定着孔の深さ方向に拡径する円錐台状の定着部を有し、
前記定着部材は、前記引張材から離れるにつれて拡径する円錐状又は円錐台状であり、
前記プレストレス付与部材は、前記定着部材の斜辺と前記定着部の斜辺とが接触した状態で引張されていることを特徴とする、
既設コンクリート構造物の補強構造。
【請求項２】
請求項１に記載のコンクリート構造物の補強構造において、
前記定着部材は、前記定着部内に充填したグラウト又はエポキシ樹脂からなることを特徴とする、既設コンクリート構造物の補強構造。
【考案の詳細な説明】
【技術分野】
【０００１】
本考案は、既設コンクリート構造物の補強構造に関する。
【背景技術】
【０００２】
既設のコンクリート構造物は、荷重の増加や老朽化による強度低下等に対応するために、補強を行う場合がある。
既設コンクリート構造物の補強方法としては、鋼板等の部材の接合する方法や、新たにコンクリートを打設して増幅する方法が知られている。
【考案の概要】
【考案が解決しようとする課題】
【０００３】
コンクリート構造物の補強箇所の周辺に空間がない場合には、部材の接合や増幅のための施工スペースを確保する作業が別途必要となる。しかし、条件によっては、施工スペースの確保が非常に困難であったり、莫大な施工費が必要となる。
【０００４】
本考案は、部材の接合や増幅をせずに、小さな施工スペースで構築することができる、既設コンクリート構造物の補強構造を提供することを目的とする。
【課題を解決するための手段】
【０００５】
本願の第一考案は、既設コンクリートに削孔した定着孔に、引張材と前記引張材の先端に設けた定着部材とからなるプレストレス付与部材を挿入して構成する、既設コンクリート構造物の補強構造であって、前記定着孔は、前記定着孔の深さ方向に拡径する円錐台状の定着部を有し、前記定着部材は、前記引張材から離れるにつれて拡径する円錐状又は円錐台状であり、前記プレストレス付与部材は、前記定着部材の斜辺と前記定着部の斜辺とが接触した状態で引張されていることを特徴とする、既設コンクリート構造物の補強構造を提供する。
本願の第二考案は、第一考案のコンクリート構造物の補強構造において、前記定着部材は、前記定着部内に充填したグラウト又はエポキシ樹脂からなることを特徴とする、既設コンクリート構造物の補強構造を提供する。
【考案の効果】
【０００６】
本考案は、上記した課題を解決するための手段により、次のような効果の少なくとも一つを得ることができる。
（１）既設コンクリートに定着孔を設けて補強するため、容易に補強することができる。
（２）部材の接合や増幅のための施工スペースが不要となり、施工が安価となる。
（３）プレストレス付与部材と定着孔が斜辺によって接触するため、プレストレス部材に大きな引張力を付与することができる。
【図面の簡単な説明】
【０００７】
【図１】本考案に係る既設コンクリート構造物の補強構造の断面図
【図２】本考案に係る既設コンクリート構造物の補強方法の説明図
【考案を実施するための形態】
【０００８】
以下、図に示す実施例に基づき、本発明を詳細に説明する。
【実施例】
【０００９】
［１］既設コンクリート構造物の補強構造
本考案の既設コンクリート構造物の補強構造は、既設コンクリートＡに設けた定着孔１にプレストレス付与部材２を挿通した構造である。（図１）
プレストレス付与部材２には引張力が作用しており、既設コンクリートＡにプレストレスが付与されて、既設コンクリート構造物が補強される。
【００１０】
（１）定着孔
定着孔１は、既存の削孔機により既設コンクリートＡを削孔して形成する。
定着孔１の底部には、プレストレス付与部材２を定着するための定着部１１を形成する。
【００１１】
（１−１）定着部
定着部１１は定着孔１の一部（例えば底部）に形成する。
定着部１１は定着孔１の深さ方向に拡径する円錐状または円錐台状である。
【００１２】
（２）プレストレス付与部材
プレストレス付与部材２は、棒状の引張材２１と引張材２１の先端に設けた定着部材２２と、からなる。
【００１３】
（２−１）引張材
引張材２１はＰＣ鋼棒により構成する。
引張材２１は引張力を付与した状態で、定着孔１の開口部１２に設ける定着具２３によって固定する。
引張材２１の先端を雄ネジ状とし、リングナット２４を設けてもよい。
【００１４】
（２−２）定着部材
定着部材２２は、引張材２１の端部であって、定着孔１の定着部１１に設ける。
定着部材２２は、定着孔１の深さ方向に向かって、すなわち引張材２１から離れるにつれて拡径する円錐状又は円錐台状である。
このように構成することにより、定着部１１の斜辺と定着部材２２の斜辺が接触し、定着部材２２がくさびとなる。
定着部材２２は、引張材２１を内包した状態で、グラウト又はエポキシ樹脂を固化して構成する。
【００１５】
（２−３）プレストレスの付与
プレストレス付与部材２の引張材２１には引張力が作用しており、端部に設けた定着部材２２と定着具２３によって、既設コンクリートＡにプレストレスが付与され、既設コンクリート構造物が補強される。
プレストレス付与部材２の腐食を防止するために、定着孔１内のプレストレス付与部材２の周囲にはグラウト３を充填して包囲する。
【００１６】
［２］既設コンクリート構造物の補強構造の構築手順
次に、本考案の既設コンクリート構造物の補強構造の構築手順について説明する。
【００１７】
（１）削孔
ドリル等により既設コンクリートＡを削孔して、定着孔１を形成する。（図２ａ）
そして従来知られた方法により、定着孔１の一部を拡径して定着部１１を形成する。（図２ｂ）
【００１８】
（２）引張材の配置
次に、定着孔１に引張材２１を挿入する。引張材２１は先端が定着部１１に到達するように挿入・配置する。このとき、引張材２１の後端が定着孔１から突出するように引張材２１の長さを決定する。（図２ｃ）
引張材２１にリングナット２４を設ける場合には、リングナット２４が定着孔１の定着部１１に位置するように引張材２１を挿入する。
【００１９】
（３）定着部材の形成
引張材２１の先端の周囲に定着部材２２を形成する。
定着部材２２は、ホース等によってグラウト又はエポキシ樹脂からなる充填材２５を定着部１１に充填して固化して形成する。これによって、定着部１１の斜辺と接触した状態で、引張材２１と一体となった定着部材２２が形成できる。
【００２０】
（４）プレストレス付与部材の引張
プレストレス付与部材２は、定着部材２２によって、先端が定着孔１に定着している。
定着孔１から突出した引張材２１の後端をジャッキ等によって把持して、引張材２１を引張する。（図２ｄ）
引張材２１の先端は定着部材２２によって定着部１１に定着しているため、引張材２１は引き抜けずに、引張材２１に引張力が作用する。
引張材２１の先端を雄ネジ状とし、リングナット２４を設ける場合には、ネジ部及びリングナット２４が引き抜き抵抗となり、大きな引張力を付与できる。
また、引張材２１を引張する際、定着部材２２に引張力が集中するが、定着部材２２と定着孔１の定着部１１は、斜辺により接触するくさび状である。このため、引張材２１には大きな引張力を付与できる。
そして、引張材２１を引張した状態で、定着孔１の開口部に定着具２３を設けて固定する。
定着部材２２と定着具２３によって、既設コンクリートＡにプレストレスが付与され、既設コンクリート構造物が補強される。
引張材２１に大きな引張力を付与できるため、既設コンクリートＡに作用するプレストレスも大きくなり、既設コンクリート構造物の補強効果も大きくなる。
【００２１】
（５）グラウト注入
定着孔１内にグラウトを注入し、既設コンクリートＡとプレストレス付与部材２を一体化する。（図２ｅ）
【００２２】
このように、既設コンクリートＡに定着孔１を設けて、定着孔１に挿入したプレストレス付与部材を引張して補強するため、部材の接合や増幅のための施工スペースが不要となり、多くの既設コンクリート構造物に適用することができ、施工も安価となる。
【符号の説明】
【００２３】
１      定着孔
１１    定着部
１２    リブ
１３    目板部
２      プレストレス付与部材
２１    引張材
２２    定着部材
２３    定着具
２４    リングナット
２５    充填材
Ａ      既設コンクリート
【図１】
0003176496.tif 000003
【図２】
0003176496.tif 000004